(57)【特許請求の範囲】
【請求項１】
データを第二光通信装置へ送信する第一光通信装置と、前記データを受信する前記第二光通信装置と、を備え、
前記第一光通信装置は、
前記データを伝送するための複数の伝送器と、
前記伝送器の各々の故障を検出する検出手段と、
前記故障が検出された場合、前記データに係る第一データ列を第二データ列に並べ替える第１の並替手段と、
前記第二データ列を前記故障が検出された前記伝送器ではない他の前記伝送器に振り分ける振り分け手段と、
を備え、
前記他の前記伝送器は、前記第二データ列を前記第二光通信装置へ送信し、
前記第二光通信装置は、受信した前記第二データ列を前記第一データ列に並べ替える第２の並替手段を備える、
光通信システム。
【請求項２】
前記故障が検出された場合には、前記故障が検出された前記伝送器の動作を停止する伝送器停止手段をさらに具備する、請求項１記載の光通信システム。
【請求項３】
前記故障が検出された場合には、前記故障が検出された前記伝送器の伝送器情報を出力する伝送器情報出力手段をさらに具備する、請求項１又は２記載の光通信システム。
【請求項４】
第一光通信装置から第二光通信装置へデータを送信する光通信方法であって、
前記第一光通信装置は、前記送信に係る伝送器の故障を検出した場合、前記データに係る第一データ列を第二データ列に並べ替え、
前記第二データ列を前記故障が検出された前記伝送器ではない他の前記伝送器に振り分け、前記他の前記伝送器により前記送信を行い、
前記第二光通信装置は、受信した前記第二データ列を、前記第一データ列に並べ替える、
光通信方法。
【発明の詳細な説明】
【技術分野】
【０００１】
本発明は、光通信システム及び光通信方法に関し、特に、光ファイバを介してデータ通信可能な光通信システム及び光通信方法に関する。
【背景技術】
【０００２】
光通信システム及び光通信方法では、一台の局側終端装置に複数の加入者側終端装置を接続しているため、一台の局側終端装置を複数の加入者側終端装置で共有している。このため、局側終端装置内で故障が生じると、複数の加入者側終端装置に影響を与えてしまう。
【０００３】
局側終端装置内で故障が生じた場合であっても、加入者側終端装置への影響を軽減する技術として、例えば、特許文献１には、光通信システム及び光通信方法が開示されている。この特許文献１記載の光通信システム及び光通信方法は、例えば、局側終端装置が故障した際、この局側終端装置に接続している支線ファイバを他の第１分岐ファイバに切り替え、他の局側終端装置に加入者側終端装置を接続させている。
【先行技術文献】
【特許文献】
【０００４】
【特許文献１】特開２０１１−７１９５１号公報
【発明の概要】
【発明が解決しようとする課題】
【０００５】
しかしながら、上記特許文献１記載の技術は、他の第１分岐ファイバに切り替え、他の局側終端装置に接続させるまでは、加入者側終端装置への局側終端装置からのデータの伝送が停止することになる。このため、上記特許文献１記載の技術は、局側終端装置内の複数の伝送器のうち、一つの伝送器が故障し、他の伝送器が正常であったとしても、他の局側終端装置に切り替えるまでは、データの伝送が停止することになる。これにより、上記特許文献１記載の技術は、正常な伝送器が一つ以上あったとしても、データの伝送を継続することができないという課題がある。
【０００６】
本発明の目的は、正常な伝送器が一つ以上あれば、データの伝送を継続することが可能な光通信システム及び光通信方法を提供することにある。
【課題を解決するための手段】
【０００７】
上記目的を達成するために、本発明に係る光通信システムは、データを伝送する伝送器の故障を検出する検出手段と、上記検出手段により上記伝送器の故障が検出された場合、伝送するデータを所定のデータ列に並べ替える第１の並替手段と、上記第１の並替手段により並べ替えられたデータ列を上記検出手段により故障が検出された伝送器以外の伝送器に振り分ける振り分け手段と、上記振り分け手段により振り分けられたデータ列を上記第１のデータ並替手段により並べ替えられる前の元のデータに並べ替える第２のデータ並替手段と、を具備して構成される。
【０００８】
上記目的を達成するために、本発明に係る光通信方法は、データを伝送する伝送器の故障を検出した場合、伝送するデータを所定のデータ列に並べ替え、並べ替えたデータ列を故障が検出された伝送器以外の伝送器に振り分け、振り分けたデータ列を並べ替えられる前の元のデータに並べ替えている。
【発明の効果】
【０００９】
本発明によれば、正常な伝送器が一つ以上あれば、データの伝送を継続することができる。
【図面の簡単な説明】
【００１０】
【図１】本発明の一実施形態（第１の実施形態）に係る光通信システムのシステム構成を示すシステム構成図である。
【図２】本発明の一実施形態（第１の実施形態）に係る光通信システムのシーケンスを示す図である。
【図３】本発明の他の実施形態（第２の実施形態）に係る光通信システムのシステム構成を示すシステム構成図である。
【図４】本発明の他の実施形態（第２の実施形態）に係る光通信装置のブロック図である。
【図５】本発明の他の実施形態（第２の実施形態）に係る第１の光通信装置の送信側のブロック図である。
【図６】本発明の他の実施形態（第２の実施形態）に係る第２の光通信装置の受信側のブロック図である。
【図７】第１の光通信装置の送信データ並替回路にて並べ替える送信データのデータ構成の一例を示すデータ構成図である。
【図８】第２の光通信装置の受信データ並替回路にて並べ替える受信データのデータ構成の一例を示すデータ構成図である。
【発明を実施するための形態】
【００１１】
以下、図面を用いて、本発明の実施形態について説明する。
【００１２】
（第１の実施形態）
図１及び図２を用いて、本発明の一実施形態（第１の実施形態）に係る光通信システム及び光通信方法について説明する。まず、図１を用いて、本実施形態に係る光通信システムのシステム構成について説明する。図１は、本実施形態（第１の実施形態）に係る光通信システムのシステム構成を示すシステム構成図である。
【００１３】
図１に例示されるように、本実施形態の光通信システムは、第１の光通信装置１０と、この第１の光通信装置１０と通信する他の光通信装置として、第２の光通信装置２０と、を具備している。第１の光通信装置１０と第２の光通信装置２０とは、光ファイバ３０を介して接続される。
【００１４】
第１の光通信装置１０は、検出部１１、第１の並替部１２、振り分け部１３及び第２の並替部１４を具備している。また、第２の光通信装置２０も、第１の光通信装置１０と同様に、検出部２１、第１の並替部２２、振り分け部２３及び第２の並替部２４を具備している。
【００１５】
以下、第１の光通信装置１０を送信側とし、第２の光通信装置２０を受信側として、これら第１の光通信装置１０及び第２の光通信装置２０の構成について説明する。なお、これら第１の光通信装置１０と第２の光通信装置２０とは、同様の構成であるため、第１の光通信装置１０の受信側の構成、第２の光通信装置２０の送信側の構成については、相当する符号を付してその説明を省略する。
【００１６】
検出部１１は、データを伝送する伝送器の故障を検出している。第１の並替部１２は、検出部１１により伝送器の故障が検出された場合、伝送するデータを所定のデータ列に並べ替えている。振り分け部１３は、第１の並替部１２により並べ替えられたデータ列を検出部１１により故障が検出された伝送器以外の伝送器に振り分けている。第２の並替部２４は、振り分け部１３により振り分けられたデータ列を第１の並替部１２により並べ替えられる前の元のデータに並べ替えている。
【００１７】
このように、本実施形態では、伝送器の故障を検出した場合には、故障が検出された伝送器以外の伝送器にデータを振り分け、伝送器が故障した場合であっても、他の伝送器を用いて、データの伝送を可能にしている。よって、本実施形態によれば、正常な伝送器が一つ以上あれば、データの伝送を継続することができる。
【００１８】
次に、図２を用いて、本実施形態に係る光通信方法について説明する。図２は、本実施形態（第１の実施形態）に係る光通信システムのシーケンスを示す図である。本実施形態では、第１の光通信装置１０を送信側として、第２の光通信装置２０を受信側とする。
【００１９】
ステップＳ１において、第１の光通信装置１０は、検出部１１にてデータを伝送する伝送器の故障を検出したか否かを判定している。この処理において、第１の光通信装置１０は、伝送器のポートの故障を検出した場合、ステップＳ２に処理を移す。一方、この処理において、第１の光通信装置１０は、伝送器の故障を検出しなかった場合には、今回の処理を終了する。
【００２０】
ステップＳ２において、第１の光通信装置１０は、上記ステップＳ１にてデータを伝送する伝送器の故障を検出した場合には、伝送するデータを第１の並替部１２にて所定のデータ列に並べ替える処理を行う。
【００２１】
ステップＳ３において、第１の光通信装置１０は、上記ステップＳ２にて並べ替えられたデータ列を上記ステップＳ１にて故障が検出された伝送器以外の伝送器に振り分け部１３にて振り分ける処理を行う。
【００２２】
ステップＳ４において、第２の光通信装置２０は、上記ステップＳ３にて振り分けられたデータ列を上記ステップＳ２にて並べ替えられる前の元のデータに第２の並替部２４にて並べ替える処理を行う。
【００２３】
このように、本実施形態では、伝送器の故障を検出した場合には、故障が検出された伝送器以外の伝送器にデータを振り分け、伝送器が故障した場合であっても、他の伝送器を用いて、データの伝送を可能にしている。よって、本実施形態によれば、正常な伝送器が一つ以上あれば、データの伝送を継続することができる。
【００２４】
（第２の実施形態）
図３乃至図８を用いて、本発明の他の実施形態（第２の実施形態）に係る光通信システム及び光通信方法について説明する。図３を用いて、本実施形態の光通信システムのシステム構成について説明する。図３は、本実施形態（第２の実施形態）に係る光通信システムのシステム構成を示すシステム構成図である。
【００２５】
図３に例示されるように、本実施形態の光通信システムは、第１の光通信装置１００及び第２の光通信装置２００を具備している。第１の光通信装置１００と第２の光通信装置２００とは、光ファイバ３００を介して接続される。すなわち、第１の光通信装置１００は、第２の光通信装置２００にデータを送信する際には、電気信号を光信号に変換し、送信している。そして、第２の光通信装置２００は、第１の光通信装置１００から光信号を受信すると、この光信号を電気信号に変換している。
【００２６】
第２の光通信装置２００も、第１の光通信装置１００と同様に、第１の光通信装置１００にデータを送信する際には、電気信号を光信号に変換している。また、第１の光通信装置１００も、第２の光通信装置２００と同様に、第２の光通信装置２００から光信号を受信すると、この光信号を電気信号に変換している。
【００２７】
次に、図４を用いて、これら第１の光通信装置１００と第２の光通信装置２００の具体的な構成について説明する。なお、第１の光通信装置１００と第２の光通信装置２００とは、同様の構成であるため、第１の光通信装置１００について説明し、第２の光通信装置２００については、相当する部号を付してその説明を省略する。図４は、本実施形態（第２の実施形態）に係る第１の光通信装置（光通信装置）１００のブロック図である。
【００２８】
本実施形態において、第１の光通信装置１００は、伝送器、例えば、後述する第１の出力レーザ１３１の故障を検出すると、送信側では、故障した伝送器を使用しないように、データ列の並べ替えを行う。そして、第１の光通信装置１００は、データを正常な伝送器、例えば、後述する第２の出力レーザ１３２にのみ、振り分けて送信する。また、第２の光通信装置２００は、送られてきたデータを本来のデータに並べ替えている。これにより、本実施形態では、一つの伝送器が故障した場合であっても、他の伝送器が正常であれば、第１の光通信装置１００と第２の光通信装置２００との通信を維持している。以下、第１の光通信装置１００の送信側、受信側の順で、これら送信側及び受信側の構成について説明する。
【００２９】
図４に例示されるように、本実施形態の第１の光通信装置１００は、送信側に制御回路１１０及び送信データ並替回路１２０を具備している。また、第１の光通信装置１００は、送信側に第１の出力レーザ１３１、第２の出力レーザ１３２、光パス監視回路１４０、第１の送信光選択回路１５１及び第２の送信光選択回路１５２を具備している。
【００３０】
第１の光通信装置１００の制御回路１１０は、送信データ並替回路１２０に電気送信データ信号（送信データＤ１、送信データＤ０）を送信している。制御回路１１０は、送信データ並替回路１２０に送信データ並替指示信号Ａを送信している。送信データ並替指示信号Ａは、送信データ並替回路１２０を制御するための信号である。
【００３１】
制御回路１１０は、第１の出力レーザ１３１にレーザ制御信号Ｂを送信している。また、制御回路１１０は、第２の出力レーザ１３２にレーザ制御信号Ｂを送信している。レーザ制御信号Ｂは、第１の出力レーザ１３１及び第２の出力レーザ１３２を制御するための信号である。
【００３２】
制御回路１１０は、光パス監視回路１４０から送信される後述する光パス状態信号Ｃを監視する。制御回路１１０は、光パス状態信号Ｃに基づいて、第１の送信光選択回路１５１及び第２の送信光選択回路１５２を制御するための信号（送信光選択信号Ｅ）を、これら第１の送信光選択回路１５１及び第２の送信光選択回路１５２に送信する。光パス状態信号Ｃは、第１の送信光選択回路１５１及び第２の送信光選択回路１５２の状態を示す信号である。
【００３３】
送信データ並替回路１２０は、制御回路１１０からの信号（送信データ並替指示信号Ａ）に従い、制御回路１１０から送信された電気送信データ信号（送信データＤ１）を、そのまま第１の出力レーザ１３１に出力している。あるいは、送信データ並替回路１２０は、制御回路１１０からの送信データ並替指示信号Ａに従い、制御回路１１０から送信された送信データＤ１を、並べ替えて出力している（並替データＦ１）。また、送信データ並替回路１２０は、制御回路１１０からの送信データ並替指示信号Ａに従い、制御回路１１０から送信された送信データＤ０を、そのまま第２の出力レーザ１３２に出力するか、並べ替えて出力している（並替データＦ０）。
【００３４】
第１の出力レーザ１３１は、制御回路１１０からの信号（レーザ制御信号Ｂ）に従い、送信データ並替回路１２０からの電気送信データ信号（並替データＦ１）を光信号（並替光データＰ１）に変換する。第１の出力レーザ１３１は、変換した並替光データＰ１を第１の送信光選択回路１５１に送信する。また、第１の出力レーザ１３１は、自身の状態を示す信号（レーザ信号Ｇ）を光パス監視回路１４０に送信する。ここで、自身の状態を示す信号とは、第１の出力レーザ１３１が正常であるか、或いは、故障しているか等を示す信号である。
【００３５】
第２の出力レーザ１３２は、第１の出力レーザ１３１と同様に制御回路１１０からの信号（レーザ制御信号Ｂ）に従い、送信データ並替回路１２０からの並替データＦ０を並替光データＰ０に変換する。第２の出力レーザ１３２は、変換した並替光データＰ０を第２の送信光選択回路１５２に送信する。また、第２の出力レーザ１３２は、自身の状態を示す信号（レーザ信号Ｇ）を光パス監視回路１４０に送信する。ここで、自身の状態を示す信号とは、上述した第１の出力レーザ１３１と同様に、第２の出力レーザ１３２が正常であるか、或いは、故障しているか等を示す信号である。
【００３６】
光パス監視回路１４０は、第１の出力レーザ１３１及び第２の出力レーザ１３２の状態を示す信号（レーザ信号Ｇ）、すなわち、正常であるか、或いは、故障しているかを監視し、これら第１の出力レーザ１３１及び第２の出力レーザ１３２の状態を制御回路１１０に送信する。また、光パス監視回路１４０は、第１の送信光選択回路１５１及び第２の送信光選択回路１５２の状態を示す信号（選択回路信号Ｑ）を監視し、これら第１の送信光選択回路１５１及び第２の送信光選択回路１５２の状態を制御回路１１０に送信する。
【００３７】
第１の送信光選択回路１５１は、制御回路１１０からの信号（送信光選択信号Ｅ）に従い、第１の出力レーザ１３１からの並替光データＰ１を、そのまま外部装置に出力する。また、第１の送信光選択回路１５１は、第２の送信光選択回路１５２からの光送信データＨ１０を外部装置に出力する。また、第１の送信光選択回路１５１は、自身の状態を示す信号（選択回路信号Ｑ）を光パス監視回路１４０に送信する。
【００３８】
第２の送信光選択回路１５２は、第１の送信光選択回路１５１と同様に、制御回路１１０からの送信光選択信号Ｅに従い、第２の出力レーザ１３２からの並替光データＰ０を、そのまま外部装置に出力する。また、第２の送信光選択回路１５２は、第１の送信光選択回路１５１からの光装置データＨ０１を外部装置に出力する。また、第２の送信光選択回路１５２は、自身の状態を示す信号（選択回路信号Ｑ）を光パス監視回路１４０に送信する。
【００３９】
次に、第１の光通信装置１００の受信側の構成について説明する。第１の光通信装置１００は、受信側に、制御回路１１０、第１のフォトディテクタ１６２、第２のフォトディテクタ１６１、フォトディテクタ監視回路１７０及び受信データ並替回路１８０を具備している。
【００４０】
制御回路１１０は、フォトディテクタ監視回路１７０からの信号（フォトディテクタ状態信号Ｏ）を監視している。そして、制御回路１１０は、フォトディテクタ状態信号Ｏに基づいて、第１のフォトディテクタ１６２を制御するための信号（フォトディテクタ制御信号Ｎ）を、第１のフォトディテクタ１６２に送信する。同様に、制御回路１１０は、フォトディテクタ状態信号Ｏに基づいて、フォトディテクタ制御信号Ｎを、第２のフォトディテクタ１６１に送信する。フォトディテクタ制御信号Ｎは、第１のフォトディテクタ１６２及び第２のフォトディテクタ１６１を制御するための信号である。
【００４１】
制御回路１１０は、受信データ並替回路１８０を制御するための信号（受信データ並替指示信号Ｍ）を、受信データ並替回路１８０に送信する。制御回路１１０は、受信データ並替回路１８０からの電気受信データ信号（受信データＬ１、受信データＬ０）を受信する。受信データ並替指示信号Ｍは、受信データ並替回路１８０を制御するための信号である。
【００４２】
第１のフォトディテクタ１６２は、制御回路１１０からのフォトディテクタ制御信号Ｎに従い、外部装置からの光受信データ信号（光受信データＩ１）を受信電気データ信号（電気受信データＪ１）に変換する。第１のフォトディテクタ１６２は、受信データ並替回路１８０に変換した電気受信データＪ１を送信する。また、第１のフォトディテクタ１６２は、自身の状態を示す信号（フォトディテクタ信号Ｋ）をフォトディテクタ監視回路１７０に送信する。ここで、自身の状態を示す信号とは、第１のフォトディテクタ１６２が正常であるか、或いは、故障しているかを示す信号である。
【００４３】
第２のフォトディテクタ１６１も、第１のフォトディテクタ１６２と同様に、制御回路１１０からのフォトディテクタ制御信号Ｎに従い、外部装置からの光受信データ信号（光受信データＩ０）を受信電気データ信号（電気受信データＪ１）に変換する。第２のフォトディテクタ１６１は、受信データ並替回路１８０に変換した電気受信データＪ０を送信する。また、第２のフォトディテクタ１６１は、自身の状態を示す信号（フォトディテクタ信号Ｋ）をフォトディテクタ監視回路１７０に送信する。ここで、自身の状態を示す信号とは、上述した第１のフォトディテクタ１６２と同様に、第２のフォトディテクタ１６１が正常であるか、或いは、故障しているかを示す信号である。
【００４４】
フォトディテクタ監視回路１７０は、第１のフォトディテクタ１６２の状態を示す信号（フォトディテクタ信号Ｋ）、すなわち、第１のフォトディテクタ１６２が正常であるか、故障しているかを監視し、第１のフォトディテクタ１６２の状態として、フォトディテクタ状態信号Ｏを制御回路１１０に送信する。同様に、フォトディテクタ監視回路１７０は、フォトディテクタ信号Ｋ、すなわち、第２のフォトディテクタ１６１が正常であるか、故障しているかを監視し、第２のフォトディテクタ１６１の状態として、フォトディテクタ状態信号Ｏを制御回路１１０に送信する。
【００４５】
受信データ並替回路１８０は、制御回路１１０からの信号（受信データ並替指示信号Ｍ）に従い、第１のフォトディテクタ１６２及び第２のフォトディテクタ１６１からの電気受信信号（電気受信データＪ１、電気受信データＪ０）を並べ替える。受信データ並替回路１８０は、制御回路１１０に受信データ（受信データＬ１、受信データＬ０）を送信する。
【００４６】
（光通信システムの動作例）
次に、図５乃至図８を用いて、本実施形態の光通信システムの動作例について説明する。図５は、本実施形態（第２の実施形態）に係る第１の光通信装置１００の送信側のブロック図である。図６は、本実施形態（第２の実施形態）に係る第２の光通信装置２００の受信側のブロック図である。図７は、第１の光通信装置１００の送信データ並替回路１２０にて並べ替える送信データのデータ構成の一例を示すデータ構成図である。図８は、第２の光通信装置２００の受信データ並替回路２８０にて並べ替える受信データのデータ構成の一例を示すデータ構成図である。
【００４７】
本動作例では、第１の光通信装置１００を送信側として、第２の光通信装置２００を受信側とする。第１の光通信装置１００の第１の出力レーザ１３１と第２の光通信装置２００の第１のフォトディテクタ２６２とが故障したと仮定する。第１の光通信装置１００は、第２の光通信装置２００の第１のフォトディテクタ２６２の故障を認識していないとする。
【００４８】
第１の出力レーザ１３１は、故障すると、レーザ信号Ｇに故障した旨の信号を出力する。光パス監視回路１４０は、第１の出力レーザ１３１が故障した旨について、光パス状態信号Ｃを経由して制御回路１１０に伝える。
【００４９】
このとき、制御回路１１０は、レーザ制御信号Ｂを用いて第１の出力レーザ１３１を停止させる。また、制御回路１１０は、送信データＤ１、送信データＤ０の送出を一旦停止させる。制御回路１１０は、送信データ並替指示信号Ａを用いて、送信データ並替回路１２０に送信データＤ１、送信データＤ０のデータを並べ替え、及び並替データＦ０側のみへ出力するようにさせる。また、制御回路１１０は、第１の出力レーザ１３１が故障した旨を第２の光通信装置２００に連絡するため、自らの装置の状態を示すデータ（第１の出力レーザ１３１が故障）を送信データＤ１、送信データＤ０に出力する。
【００５０】
送信データ並替回路１２０は、送信データＤ１、送信データＤ０のデータを並べ替え、正常な一つのポートだけを使用した時系列データに並べ替える。送信データ並替回路１２０は、正常な出力ポートである並替データＦ０だけからこの情報を出力する。並替データＦ０は、第２の出力レーザ１３２で光に変換され、並替光データＰ０に出力され、第２の送信光選択回路１５２に出力される。
【００５１】
接続先である第２の光通信装置２００の受信状態が不明なので、光送信データＨ１、光送信データＨ０の両方に「第１の光通信装置１００の状態を示すデータ（第１の出力レーザ１３１が故障）」を出力する。
【００５２】
このとき、「第１の光通信装置１００の状態を示すデータ」を出力する場合、接続距離が短かったり、光量が充分にある場合は、制御回路１１０は、送信光選択信号Ｅに信号を送る。そして、制御回路１１０は、第２の送信光選択回路１５２に対し、並替光データＰ０の光量の半分を光送信データＨ０に送出させる。同時に、残りの光量を光送信データＨ１０を経由して第１の送信光選択回路１５１に送り、「第１の光通信装置１００の状態を示すデータ」を送信データＨ１にも送出させるようにする。
【００５３】
これに対し、接続距離が長かったり、光量が充分ではない場合、制御回路１１０は、第２の送信光選択回路１５２を経由して、光送信データＨ０に「第１の光通信装置１００状態を示すデータ」を送出する。その後、制御回路１１０は、第２の送信光選択回路１５２を切り替え、光送信データＨ０への送信を停止する。そして、制御回路１１０は、全光量が第１の送信光選択回路１５１に行くように設定しなおす。また、制御回路１１０は、第１の送信光選択回路１５１の設定を変更し並替光データＰ１ではなく、光送信データＨ１０のデータを光送信データＨ１から送出させる。すなわち、光送信データＨ１から「第１の光通信装置１００の状態を示すデータ」が出力される。
【００５４】
第２の光通信装置２００では、第１のフォトディテクタ２６２での異常を検出した場合、フォトディテクタ信号Ｋを経由してフォトディテクタ監視回路２７０に異常を連絡する。
【００５５】
フォトディテクタ監視回路２７０は、第１のフォトディテクタ２６２が故障した旨について、フォトディテクタ状態信号０を経由して、制御回路２１０に連絡する。すると、制御回路２１０は、フォトディテクタ制御信号Ｎに信号を送り、第１のフォトディテクタ２６２を停止させる。また、制御回路２１０は、受信データ並替指示信号Ｍを経由して、受信データ並替回路２８０に対し、電気受信データＪ１の信号の並べ替えを行って、受信データＬ１、受信データＬ０に受信データを出力するように設定する。
【００５６】
第２の光通信装置２００には、光受信データＩ１、光受信データＩ０の両方から「第１の光通信装置１００の第１の出力レーザ１３１が故障」という光データが送られて来る。このため、第２の光通信装置２００は、第１のフォトディテクタ２６２が故障していても、光受信データＩ１側の光データから「第１の光通信装置１００の状態（第１の出力レーザ１３１が故障）を示すデータ」が認識できる。
【００５７】
第２の光通信装置２００では、光受信データＩ１の「第１の光通信装置１００の状態を示すデータ」を第１のフォトディテクタ２６２が電気信号に変えて電気受信データＪ１を経由して、受信データ並替回路２８０に送出する。光受信データＩ０からも、「第１の光通信装置１００の状態を示すデータ」が入ってくるが、フォトディテクタ制御信号Ｎにより第１のフォトディテクタ２６２を停止させているため、電気受信データＪ０には信号が送出されない。受信データ並替回路２８０は、電気受信データＪ１の並べ替えを行い、受信データＬ１、受信データＬ０にデータを出力する。制御回路２１０は、受信データＬ１、受信データＬ０のデータを見て、「第１の光通信装置１００の状態（第１の出力レーザ１３１が故障）」を認識する。
【００５８】
また、第２の光通信装置２００は、上述した第１の光通信装置１００と同様の動作で、第１のフォトディテクタ２６２が故障した旨を第２の光通信装置２００の送信側の回路を使用して、外部の接続先である第１の光通信装置１００に連絡する。
【００５９】
第１の光通信装置１００の制御回路１１０は、自身の第１の出力レーザ１３１の故障及び第２の光通信装置２００の第１のフォトディテクタ２６２の故障を認識すると、以降のデータの送信を光送信データＨ１側でのみ行うように設定する。すなわち、送信データＤ１、送信データＤ０を送信データ並替回路１２０で、並替データＦ０側のみに出力されるように、出力データを並べ替える（図７参照）。また、第２の送信光選択回路１５２に対して光送信データＨ０への出力を停止させ、光送信データＨ１側のみへの出力を許可（図７参照）し、データを送信する。ここで、図７に例示されるように、並べ替える出力データのデータ構成の一例として、送信データＤ１及び送信データＤ０を並替データＦ０に並べ替える場合、各送信データのビットを並替データＦ０に交互に並べている。並替データＦ０は、Ｄ００からＤ０１、Ｄ０２の順でＤ１９まで並べている。
【００６０】
なお、上述の例では、二つの送信データから一つの並替データに並べ替える、すなわち、複数本から単数本を例にしたが、これに限定されず、複数本から複数本であっても良い。この場合、各送信データのビットを、各並替データに順に並べていく。
【００６１】
この例としては、図示しないが、送信データＤ３、送信データＤ２、送信データＤ１及び送信データＤ０を並替データＦ２、並替データＦ１及び並替データＦ０に並べ替える場合について説明する。上述の一例と同様に、送信データＤ０にＤ００、Ｄ０４、送信データＤ１にＤ０１、Ｄ０５、送信データＤ２にＤ０２、Ｄ０６、送信データＤ３にＤ０３、Ｄ０７の順で、ビットが並べられているとする。この場合、各送信データのビットを並替データＦ０にＤ００、Ｄ０３、並替データＦ１にＤ０１、Ｄ０４、並替データＦ２にＤ０２、Ｄ０５の順に、Ｄ１９まで並べている。
【００６２】
第２の光通信装置２００の制御回路２１０は、光送信データＨ１＝光受信データＩ１のみから入ってくるデータを元の並列データに戻すように設定を行う（図８参照）。制御回路２１０は、光受信データＩ１からの光受信データを第１のフォトディテクタ２６２で電気受信データに変換し、受信データ並替回路２８０で元の並び順に並べ替えて、受信する。
【００６３】
このように、本実施形態では、伝送器の故障を検出した場合には、故障が検出された伝送器以外の伝送器にデータを振り分け、伝送器が故障した場合であっても、他の伝送器を用いて、データの伝送を可能にしている。よって、本実施形態によれば、正常な伝送器が一つ以上あれば、データの伝送を継続することができる。
【符号の説明】
【００６４】
１０    第１の光通信装置
１１    検出部
１２    第１の並替部
１３    振り分け部
２０    第２の光通信装置
２４    第２の並替部
【図１】
0006492489.tif 000002
【図２】
0006492489.tif 000003
【図３】
0006492489.tif 000004
【図４】
0006492489.tif 000005
【図５】
0006492489.tif 000006
【図６】
0006492489.tif 000007
【図７】
0006492489.tif 000008
【図８】
0006492489.tif 000009